(57)【特許請求の範囲】
【請求項１】
入力された圧縮オーディオデータとＣＤオーディオデータとを処理して、アナログオーディオ信号を出力するデジタル信号処理部と、前記デジタル信号処理部に接続され、前記圧縮オーディオデータを伸張するためのデコーダと、前記デジタル信号処理部から出力される基準クロックを前記圧縮オーディオデータのデコーダに入力し、この基準クロックに基づいて前記デコーダ動作用のクロックを生成することを特徴とする圧縮オーディオデータ再生装置において、
前記基準クロックが、前記デジタル信号処理部において生成されたオーディオ信号の同期クロックであるビットクロックであり、かつ、前記デコーダにはこのビットクロックをデコーダ動作用のクロックに変換するための逓倍回路が設けられ、
前記デジタル信号処理部は、圧縮オーディオデータとＣＤオーディオデータとの切換回路と、処理されたデジタルオーディオ信号をアナログ変換するＤ／Ａコンバータを備え、
前記切換回路は、処理するデータがＣＤオーディオデータの場合にはこれをＤ／Ａコンバータに直接出力し、処理するデータが圧縮オーディオデータの場合には前記デコーダを介してＤ／Ａコンバータに出力すると共に、前記圧縮オーディオデータ中のビットクロックを逓倍回路に入力することを特徴とする圧縮オーディオデータ再生装置。
【請求項２】
前記デジタル信号処理部のアナログオーディオ信号の出力側に、前記圧縮オーディオデータのデコーダの立ち上がり時、アナログオーディオ信号の出力をカットするミュート回路を設けたことを特徴とする請求項１に記載の圧縮オーディオデータ再生装置。
【発明の詳細な説明】
【０００１】
【発明の属する技術分野】
本発明は、オーディオＣＤプレーヤ及びＭＰ３プレーヤを兼用した圧縮オーディオデータ再生装置に関するもので、特に、ＭＰ３フォーマット等として知られる圧縮音声情報が記録されたＣＤ−Ｒ（ＣＤレコーダブルディスク）やＣＤ−ＲＷ（ＣＤリライタブルディスク）やミニディスク等の記録媒体（以下、ディスクと呼ぶ）から圧縮情報の再生を行うために必要なデコーダ部分に改良を施したものである。
【０００２】
【従来の技術】
従来、オーディオデータを圧縮処理するＭＰ３フォーマット（MPEG-1 Audio Layer-3）が知られている。このＭＰ３フォーマットに基づいてオーディオデータを圧縮処理すると、元の音質を聴感上劣化させることなく、約１／１０（最大１／１２）のファイルサイズに圧縮することができる。このため、オーディオプレーヤにこの種の技術を適用すれば、一枚のディスクに通常のオーディオＣＤの１０倍以上の曲数を記録することができる。
【０００３】
特に、一枚のディスクで大量のデータを取り扱うことを可能とすることができる結果、複数のＣＤを収納するＣＤチェンジャーを不要としたり、現状のＣＤチェンジャーの１０倍以上の曲数を収納したＣＤチェンジャーを提供可能とすることができることから、プレーヤの小型化が強く要望されている車載用のオーディオプレーヤとして注目されている。
【０００４】
【発明が解決しようとする課題】
ところで、一般の車載用オーディオプレーヤとしては、このようなＭＰ３フォーマットに基づいて圧縮処理されたディスクの再生に加えて、オーディオ記録用の媒体として広く使用されている通常のオーディオＣＤの再生も要求されている。特に、このようなＭＰ３データが記録されたディスクと通常のオーディオＣＤとの両者を再生する場合、ディスク形状、ディスクの駆動制御やデータの読取機構、アンプ、スピーカなどの再生機構、操作及び表示装置など、機能的に共通する部分が多いことから、両方のディスクを一台のプレーヤが再生する試みが提案されている。
【０００５】
ところで、オーディオＣＤに記録されたＣＤオーディオデータ（ＣＤ＿ＤＡデータ）を再生する場合は、ディスクに記録された情報を読みとった光ピックアップからは、ディスクへの記録再生に適した変調方式であるＥＦＭ変調（Eight-to-Fourteen Modulation）が施されているＲＦ信号が出力され、これをデジタルアナログコンバータ（Ｄ／Ａコンバータ）によって再生信号に復調するが、前記のようなＭＰ３圧縮データを伸張し再生するためには、専用のデコーダを利用する必要がある。
【０００６】
現在では、前記のようなＣＤオーディオデータの復調や、光ピックアップのサーボコントロールを行うためのＤＳＰ（デジタル信号処理部）や、ＭＰ３デコーダを構成する回路ブロックのＬＳＩ化が進んでおり、各回路ブロックは１チップのＬＳＩで実現されることが多い。
【０００７】
この場合、従来では、各回路ブロックを構成するＬＳＩごとに、復調処理に必要なオーディオサンプリング周波数やサーボコントロールに必要な同期用の周波数を得るための基準クロック発生器を設けている。しかし、基準クロックの周波数は数１０ＭＨｚと比較的高周波であり、この高調波成分による不要輻射が発生しやすいという問題点がある。
【０００８】
特に、従来の装置では、ＭＰ３デコーダを常時駆動しておき、オーディオＣＤの再生時には、ＣＤオーディオデータをＭＰ３デコーダをバイパスあるいはスルーさせて、後段のＤ／Ａコンバータに供給している。しかし、このようにＭＰ３デコーダを常時駆動していると、前記のような不要輻射に起因するノイズ対策のために遮蔽構造が必要となり、装置の複雑化、大型化を招くという問題が生じる。
【０００９】
また、このようなＣＤオーディオデータとＭＰ３のような圧縮データの両方を再生できる装置においては、両データの切替処理時において、ディスクに記録されたデータを読みとって、これをＭＰ３デコーダで伸張し、さらにＤ／Ａコンバータによってアナログ信号に変換するまでの間に、微少なタイムラグが生じ、ノイズ発生の原因となるおそれがある。
【００１０】
本発明は、このような従来技術の問題点に鑑みなされたものであり、ＭＰ３フォーマットなどによって圧縮されたオーディオデータを伸張するためのデコーダを備えたオーディオＣＤの再生装置において、ＣＤオーディオデータの再生時における前記デコーダに起因する不要輻射の発生をなくすことができる圧縮オーディオデータ再生装置を提供することを目的とする。
【００１１】
本発明の他の目的は、ＣＤオーディオデータとＭＰ３のような圧縮データの切替処理時におけるノイズの発生を防止することのできる圧縮オーディオデータ再生装置を提供することにある。
【００１２】
【課題を解決するための手段】
前記の目的を達成するために、請求項１の発明は、入力された圧縮オーディオデータとＣＤオーディオデータとを処理して、アナログオーディオ信号を出力するデジタル信号処理部と、前記デジタル信号処理部に接続され、前記圧縮オーディオデータを伸張するためのデコーダと、前記デジタル信号処理部から出力される基準クロックを前記圧縮オーディオデータのデコーダに入力し、この基準クロックに基づいて前記デコーダ動作用のクロックを生成することを特徴とする。
このような構成を有する請求項１の発明は、圧縮オーディオデータを伸張するためのデコーダに専用のクロック発生器が不要となり、ＣＤオーディオデータの再生時のようにデータ伸張用のデコーダを動作させる必要のない場合には、デコーダ部分からの不要輻射が解消される。
【００１３】
また、本発明は、前記基準クロックが、前記デジタル信号処理部において生成されたオーディオ信号の同期クロックであるビットクロックであり、かつ、前記デコーダにはこのビットクロックをデコーダ動作用のクロックに変換するための逓倍回路が設けられていること特徴とする。このような構成を有する本発明は、圧縮オーディオデータをデコーダに出力する際にデジタル信号処理部から出力されるビットクロックをそのまま利用してデコーダ動作用のクロックに変換させることで、デジタル信号処理部などでデコーダ専用のクロックを発生させる必要がなくなり、装置全体の構成が簡略化される。
【００１４】
特に、本発明は、前記デジタル信号処理部は、圧縮オーディオデータとＣＤオーディオデータとの切換回路と、処理されたデジタルオーディオ信号をアナログ変換するＤ／Ａコンバータを備え、前記切換回路は、処理するデータがＣＤオーディオデータの場合にはこれをＤ／Ａコンバータに直接出力し、処理するデータが圧縮オーディオデータの場合には前記デコーダを介してＤ／Ａコンバータに出力すると共に、前記圧縮オーディオデータ中のビットクロックを逓倍回路に入力することを特徴とする。このような構成を有する本発明は、データの伸張が必要な圧縮オーディオデータを、デジタル信号処理部内で切換回路を制御するだけの動作でデコーダ側を経由してＤ／Ａコンバータに送り出すことが可能になるので、デジタル信号処理部の多くの回路を圧縮オーディオデータとＣＤオーディオデータとで共有することが可能になる。しかも、処理するデータがＣＤオーディオデータの場合には、切換回路により、これをＤ／Ａコンバータに直接出力するので、逓倍回路には、ビットクロックが出力されることがなく、その結果、ＣＤオーディオデータの再生時における前記デコーダに起因する不要輻射の発生をなくすことができる。
【００１５】
請求項２の発明は、前記デジタル信号処理部のアナログオーディオ信号の出力側に、前記圧縮オーディオデータのデコーダの立ち上がり時、アナログオーディオ信号の出力をカットするミュート回路を設けたことを特徴とする。このような構成を有する請求項２の発明は、圧縮オーディオデータの伸張処理の立ち上がり時に発生するノイズをカットすることが可能になる。
【００１６】
【発明の実施の形態】
以下、本発明の圧縮オーディオデータ再生装置の実施形態を図面に基づいて具体的に説明する。
【００１７】
（１．第１実施形態の構成）
本実施の形態の圧縮オーディオデータ再生装置には、使用者が装置を外部から操作するための操作パネルや制御ボタンなどを含む操作装置１と、装置の状態（例えば、ディスクの種類や有無、再生中の曲名やアーティスト名等の内容、再生音のボリューム、再生中の曲の順番など）を表示するために例えばＬＣＤ（Liquid Crystal Display）で形成された表示装置２とが設けられている。また、ＣＤオーディオデータおよびＭＰ３圧縮データから得られた音声信号の増幅用アンプ３およびスピーカ４とが設けられている。
【００１８】
前記圧縮オーディオデータ再生装置には、ディスク駆動部５、ピックアップ部６が設けられている。このうち、ディスク駆動部５は、ディスクの有無および定位置などの位置検知機構５１、ディスクの装着完了検知機構５２、ディスクのローディング用モータ５３、ピックアップの最内周位置の検知機構５４、ピックアップ移動用のスピンドルモータ５５、ディスク回転用のスピンドルモータ５６などの各メカニズムを備えている。ピックアップ部６は、フォーカスコイル６１、トラッキングコイル６２、レーザーダイオード６３、光検出器（フォトディテクタ）６４など、ディスク上に記録されたデータの読取機構を備えている。
【００１９】
前記のようなディスク駆動部５およびピックアップ部６の制御と、ピックアップ部６から得られたＣＤオーディオデータおよびＭＰ３圧縮データをスピーカ４から出力可能な音声信号とするために、この圧縮オーディオデータ再生装置には、主制御部１０、機構制御部１１、ＲＦ信号処理部１２、デジタル信号処理部（ＤＳＰ）１３、このデジタル信号処理部１３から供給されたＣＤ−ＲＯＭデータ（圧縮オーディオデータ）のデコード機能を備えたＭＰ３デコーダ１４、バッファメモリ１５およびミュート回路１６が設けられている。
【００２０】
主制御部１０は、いわゆるマイクロコンピュータによって構成されたものであり、前記操作装置１、表示装置２、ディスク駆動部５、ピックアップ部６および前記各制御部および処理部に接続され、これらを制御するものである。
【００２１】
この主制御部１０には、本再生装置の駆動停止を制御する再生制御部１０１が設けられ、この再生制御部１０１が前記ディスク駆動部５のディスクの有無および定位置などの位置検知機構５１、ディスクの装着完了検知機構５２に接続されている。
【００２２】
主制御部１０には、ピックアップ部から読みとられた各ディスクのリードインに記録された管理情報としてのＴＯＣ（Table Of Contents)を、デジタル信号処理部１３からの取得することにより、装置内に挿入されたディスクが、オーディオＣＤかあるいはＭＰ３圧縮データを記録したＣＤ−ＲＯＭかを判別するためのディスク判別部１０２が設けられている。
【００２３】
主制御部１０には、デジタル信号処理部１３のＤ／Ａコンバータ１３４の後段に設けられたミュート回路１６の制御部１０３が設けられている。すなわち、ミュート回路１６は、ＣＤオーディオデータとＭＰ３デコーダ１４からのＭＰ３圧縮データに基づくオーディオ信号との切り替え時に、シリアルデータを一定期間ミュートして無音状態にするためのもので、前記ミュート回路制御部１０３は、ＭＰ３デコーダ１４が立ち上がるまでの間、ミュート回路１６を動作させてデジタル信号処理部１３のＤ／Ａコンバータ１４からの出力をカットする制御を行う。
【００２４】
機構制御部１１は、前記ディスク駆動部５のディスクのローディング用モータ５３、ピックアップ移動用のスピンドルモータ５５およびディスク回転用のスピンドルモータ５６と、ピックアップ部６に設けられたフォーカスコイル６１、トラッキングコイル６２の動作を制御する。
【００２５】
前記ピックアップ部６のレーザーダイオード６３と光検出器（フォトディテクタ）６４とは、ＲＦ信号処理部１２に接続されている。すなわち、このＲＦ信号処理部１２からの指令により、レーザーダイオード６３から照射されるレーザ光がディスクのデータ記録面に照射され、その反射光を光検出器（フォトディテクタ）６４で読みとり、読みとられたデータがＲＦ信号処理部１２において処理され、ＥＦＭ変調が施されているＲＦ信号と、トラッキングエラー信号及びフォーカスエラー信号が得られる。
【００２６】
このようにして得られた各信号は前記デジタル信号処理部１３に入力され、このうち、トラッキングエラー信号とフォーカスエラー信号とは前記機構制御部１１に送られ、これらの信号に基づいて前記機構制御部１１がピックアップ部６に設けられたフォーカスコイル６１、トラッキングコイル６２の動作を制御する。一方、ＲＦ信号は、ＣＤオーディオデータかＭＰ３圧縮データかを判別された後、それぞれ音声信号に変換される。
【００２７】
デジタル信号処理部１３には、所定周波数のクロック信号（任意の周波数のＬ／Ｒクロックとビットクロック）を発生する基準クロック発生器１３１が内蔵されており、この基準クロック発生器１３１により生成された基準クロックは、機構制御部１１、ＣＤオーディオデータの復調部、および圧縮オーディオデコーダ１４にそれぞれ供給され、信号の同期をとるようにしている。なお、基準クロック発生器１３１は、デジタル信号処理部１３の外部に設けられていても良い。
【００２８】
また、デジタル信号処理部１３は、ＲＦ信号処理部１２から入力されたＥＦＭ信号を復調するＥＦＭ信号デコーダ１３２、切換回路１３３ａ，１３３ｂ及びＤ／Ａコンバータ１３４を備えている。
【００２９】
ＥＦＭ信号デコーダ１３２は、ＣＤ＿ＤＡデータ、つまりＣＤオーディオデータをデコードし、それをＬ／Ｒクロック、ビットクロック、シリアルデータの３信号からなるデジタル化されたオーディオ信号に変換する。Ｌ／Ｒクロックはシリアルデータとして転送される現在の音声サンプリングデータがＬチャネルデータであるかＲチャネルデータであるかを示すものであり、ＬチャネルデータとＲチャネルデータの時分割周期に対応する周波数を有する。ビットクロックはシリアルデータとして転送される各サンプリングデータの同期クロックである。
【００３０】
また、このＥＦＭ信号デコーダ１３２は、圧縮オーディオデータをＭＰ３デコーダ１４に、Ｌ／Ｒクロック、ビットクロックと共に出力するものであり、これらの信号はＭＰ３デコーダ１４の圧縮データ処理部１４１に入力される。
【００３１】
切換回路１３３ａ，１３３ｂは、前記ＥＦＭ信号デコーダ１３２からの出力がＣＤオーディオデータの場合にはＤ／Ａコンバータ１３４に直接出力し、ＦＭ信号デコーダ１３２からの出力が圧縮オーディオデータの場合にはＭＰ３デコーダ１４を介してＤ／Ａコンバータ１３４に側に出力するものであり、前記主制御部１０が判定したディスク種別に応じて回路を切り替えるものである。
【００３２】
Ｄ／Ａコンバータ１３４は、前記ＥＦＭ信号デコーダ１３２からのＣＤオーディオデータ、あるいはＭＰ３デコーダ１４における伸張処理により復元されたデジタルオーディオ信号をアナログ信号に変換して出力するものである。このＤ／Ａコンバータ１３４は、アナログ化されたオーディオ信号を所定の利得で増幅してスピーカ４に供給するオーディオアンプ３に接続されている。
【００３３】
ＭＰ３デコーダ１４は、前記デジタル信号処理部１３の切換回路１３３ａからのＬ／Ｒクロック、ビットクロック及び圧縮オーディオデータを入力して、これを記憶するバッファメモリ１５に出力する圧縮データ処理部１４１と、バッファメモリ１５から圧縮オーディオデータを読み出して伸張処理を行うデータ伸張処理部１４２とを備えている。このデータ伸張処理部１４２の出力側は、前記デジタル信号処理部１３の切換回路１３３ｂに接続されている。
【００３４】
ＭＰ３デコーダ１４は、前記圧縮データ処理部１４１に入力される各信号中からビットクロックをデコーダ動作用に分岐して入力するデコーダ動作用クロック入力部１４３と、この入力部１４３から入力されたビットクロック（例えば２．８ＭＨｚ）をバッファメモリ１５から圧縮オーディオデータを読み出して伸張するために必要なデコーダ基準クロック（６０ＭＨｚ程度）に変換する逓倍回路１４４を備えている。
【００３５】
（２．実施形態の作用）
以下、本実施の形態の作用を図３に示すフローチャートに従って説明する。
前記のような構成を有する本実施の形態の再生装置に、オーディオＣＤあるいは圧縮オーディオデータが記録されたＣＤ−ＲＯＭが挿入されると、主制御部１０がこれを検知して、ディスク駆動部５及びピックアップ部６を動作させて、ディスクの回転と記録されたデータの読みとりを開始する（Ｓ０１）。
【００３６】
主制御部１０はそのディスク判別部１０２により、ピックアップ部６から読みとられた各ディスクのリードインに記録された管理情報としてのＴＯＣ（Table Of Contents)に従って（Ｓ０２）、装置内に挿入されたディスクが、オーディオＣＤかあるいはＣＤ−ＲＯＭかを判別する（Ｓ０３）。
【００３７】
ディスクがオーディオＣＤの場合には（Ｓ０３のＮＯ）、デジタル信号処理部１３に設けられた切換回路１３３ａ，１３３ｂをＤ／Ａコンバータ１３４側に切り換える。それと共に、ピックアップ部６からＲＦ信号処理部１２を介してＥＦＭ信号デコーダ１３２に入力されたＥＦＭ信号を復調して、それをＬ／Ｒクロック、ビットクロック、シリアルデータの３信号からなるデジタル化されたオーディオ信号に変換する（Ｓ０４）。
【００３８】
変換されたデジタルオーディオ信号は、前記切換回路１３３ａ，１３３ｂを介してＤ／Ａコンバータ１３４に出力され、Ｄ／Ａコンバータ１３４では、このデジタルオーディオ信号をアナログ変換し（Ｓ０５）、これをミュート回路１６及びアンプ３を介してスピーカ４から出力する（Ｓ０６）。
【００３９】
一方、挿入されたディスクがＣＤ−ＲＯＭである場合には（Ｓ０３のＹＥＳ）、ＴＯＣ情報がデジタル信号処理部１３から主制御部１０に送信され、ここでＣＤ−ＲＯＭと判定される。この場合、主制御部１０の指令により、デジタル信号処理部１３に設けられた切換回路１３３ａ，１３３ｂがＭＰ３デコーダ１４側に切り換えられる。それと共に、ピックアップ部６からＲＦ信号処理部１２を介してＥＦＭ信号デコーダ１３２に入力されたＥＦＭ信号を復調して、それをＬ／Ｒクロック、ビットクロック、圧縮オーディオデータの３信号からなるデジタル信号に変換し、このデジタル信号を切換回路１３３ａによってデジタル信号処理部１３外部のＭＰ３デコーダ１４に出力する（Ｓ０７）。
【００４０】
このようにして切換回路１３３ａを通過したＬ／Ｒクロック、ビットクロック、圧縮オーディオデータの３信号の中で、ビットクロックのみを分岐して、ＭＰ３デコーダ１４のデコーダ動作用クロック入力部１４３を介して逓倍回路１４４に入力する。この逓倍回路１４４においては、前記入力部１４３から入力されたビットクロックを圧縮オーディオデータを伸張するために必要なデコーダ基準クロックに変換する（Ｓ０８）。
【００４１】
このようにして、デコーダ基準クロックが与えられると、ＭＰ３デコーダ１４は動作可能状態なるので、これを検出した主制御部１０からＭＰ３デコーダ１４に対してリセット信号が送出され、ＭＰ３デコーダ１４の初期化がなされる（Ｓ０９）。
【００４２】
ＭＰ３デコーダ１４が初期化されると、前記デジタル信号処理部１３によって得られたデジタル化された圧縮オーディオデータは、ＭＰ３デコーダ１４の圧縮データ処理部１４１に入力され、更に、バッファメモリ１５に蓄積される。
【００４３】
ＭＰ３デコーダ１４は、前記のようにしてデータ伸張用の基準クロックを得た後は、バッファメモリ１５に蓄積した圧縮オーディオデータを順次読み出し、これを伸張してデジタル音声信号に変換する。この変換されたデジタル音声信号は、Ｌ／Ｒクロック及びビットクロックと共に再びデジタル信号処理部１３に戻され、切換回路１３３ｂを介してＤ／Ａコンバータ１３４に送られる。
【００４４】
すなわち、ＭＰ３デコーダ１４は、バッファメモリ１５に蓄積されているデータを読み出して分析し（Ｓ１０）、このデータが圧縮オーディオデータ（ＭＰ３フォーマットの圧縮データ）である場合には（Ｓ１１のＹＥＳ）、これを伸張してＤ／Ａコンバータ１３４に出力する（Ｓ１２）。仮に、分析されたデータが他の形式のデータである場合には（ＳのＮＯ）、処理を終了して、主制御部１０から表示装置２にエラー表示その他を行う（Ｓ１３）。なお、データの分析の手法は上記の限らず、適宜の手法を用いることができる。
【００４５】
Ｄ／Ａコンバータ１３４においては、伸張された圧縮オーディオデータは、オーディオＣＤからのデジタル化されたオーディオ信号の処理と同様にアナログ変換され（Ｓ０５）、ミュート回路１６、アンプ３を介してスピーカ４から出力される（Ｓ０６）。
【００４６】
ところで、前記のようなＭＰ３デコーダ１４による処理を開始した場合に、ＭＰ３デコーダ１４の初期化、バッファメモリ１５に対するデータの蓄積、あるいは圧縮オーディオデータの伸張のために、装置の起動や切換時において、スピーカから音声信号が出力されるまでの間に若干のタイムラグが生じるおそれがある。そこで、本実施の形態においては、主制御部１０のミュート回路制御部１０３により、一定時間ミュート回路１６を作動させて、スピーカからの音声出力をカットする。その結果、再生出力の切換時に生じるノイズの発生を防止することができる。
【００４７】
このミュート回路制御部１０３によるＭＰ３デコーダ１４の立ち上がりの検出、言い換えると、デジタル信号処理部１３のＤ／Ａコンバータ１４にオーディオ信号が入力され始めた、という判定は次のように行われる。すなわち、主制御部１０は、デジタル信号処理部１３及びＭＰ３デコーダ１４とのインターフェースで、デジタル信号処理部１３及びＭＰ３デコーダ１４が正常に立ち上がったことを認識することができるので、その認識結果に基づいてデジタル信号処理部１３からの出力のミュートを主制御部１０が制御する。その結果、ＭＰ３デコーダとの通信インターフェースが正常に終了するまでは、デジタル信号処理部１３に対して、主制御部１０が、ミュートをかけておくことが可能になる。
【００４８】
なお、ミュート回路１６は、所定のタイミング（例えば、ＭＰ３ファイルが存在すること、あるいはＣＤ−ＲＯＭであることが確認されたとき）から予め定められた時間だけミュート制御されるように構成することもできる。
【００４９】
以上述べたように、本実施の形態においては、ＭＰ３デコーダ１４に専用のクロック発生器を設けることなく、デジタル信号処理部１３に設けられた基準クロック発生器１３１によって得られるビットクロックを、ＭＰ３デコーダ１４に入力する圧縮オーディオ信号から分岐してその伸張用の基準クロックとして使用している。その結果、ＭＰ３デコーダ１４専用のクロック発生器が不要となり、不要輻射の発生が抑制される。
【００５０】
（３．他の実施の形態）
本発明は、前記の実施の形態に限定されるものではなく、各制御部や処理部をそれぞれ専用のＬＳＩによって構成したが、この回路構成は必ずしも図示のものに限定されない。各部をより集積した１つのＬＳＩにまとめて搭載するすること可能である。また、ディスクに記録されている圧縮データとしては、現在主流となっているＭＰ３フォーマットに基づいて圧縮処理されたものとして説明したが、他の圧縮フォーマットに基づいて圧縮処理されたものでもよい。また、圧縮オーディオデータの記録媒体としては、光ディスク、光磁気ディスク、磁気ディスク、ＲＯＭやＲＡＭなどのメモリなどであっても良いし、１つの媒体に圧縮オーディオデータ以外のファイルが混在するものであっても良い。
【００５１】
【発明の効果】
以上のように、本発明によれば、不要輻射の発生が抑制され、それに伴う装置の小型化・単純化が可能な圧縮オーディオデータ再生装置を得ることができる。
また、ミュート回路を設けた場合には、圧縮オーディオデータのデコーダの立ち上がり時におけるノイズの発生を防止できる。
【図面の簡単な説明】
【図１】本発明による圧縮オーディオデータ再生装置の第１実施形態を示すブロック図。
【図２】図１の圧縮オーディオデータ再生装置におけるデジタル信号処理部とＭＰ３デコーダ部分の拡大図。
【図３】本発明による圧縮オーディオデータ再生装置の第１実施形態の動作を示すフローチャート。
【符号の説明】
１…操作装置
２…表示装置
３…増幅用アンプ
４…スピーカ
５…ディスク駆動部
６…ピックアップ部
１０…主制御部
１１…機構制御部
１２…ＲＦ信号処理部
１３…デジタル信号処理部
１４…圧縮オーディオデコーダ
１５…バッファメモリ
１６…ミュート回路
５１…位置検知機構
５２…装着完了検知機構
５３…ローディング用モータ
５４…検知機構
５５…スピンドルモータ
５６…スピンドルモータ
６１…フォーカスコイル
６２…トラッキングコイル
６３…レーザーダイオード
６４…フォトディテクタ
１０１…再生制御部
１０２…ディスク判別部
１０３…ミュート回路制御部
１３１…基準クロック発生器
１３２…ＲＦ信号デコーダ
１３３ａ，１３３ｂ…切換回路
１３４…Ｄ／Ａコンバータ
１４１…圧縮データ処理部
１４２…データ伸張処理部
１４３…デコーダ動作用クロック入力部
１４４…逓倍回路
【図１】
0004672913.tif 000002
【図２】
0004672913.tif 000003
【図３】
0004672913.tif 000004